(57)【要約】【課題】短時間変動の場合でも操作有効期間と操作時演出処理の時間を十分に確保した操作演出を実行することが可能な遊技機を提供する。【解決手段】所定の操作有効期間中に操作手段１２が操作されることに基づいて、信頼度表示等の所定の操作時演出処理を実行する操作演出が制御されるように構成された遊技機で、操作演出は、操作有効期間が複数の単位演出期間に跨ることが可能な特定操作演出を含むように構成したものである。【選択図】図１２
2015131148.tif 000002
【特許請求の範囲】
【請求項１】
外部操作可能な操作手段と、
所定の操作演出を実行する操作演出制御手段と、
所定の図柄変動開始条件が満たされることに基づいて図柄を変動表示する図柄表示手段と、
前記図柄表示手段による変動後の停止図柄が特定態様となった場合に利益状態を発生させる利益状態発生手段と
を備えた遊技機において、
前記操作演出は、前記操作手段を有効に操作可能であることを示す画像を前記図柄表示手段による複数回の図柄変動に跨って表示することが可能な特定操作演出を含み、
前記特定操作演出では、前記画像の表示態様を、前記操作手段が有効に操作されることなく新たな前記図柄変動が開始された場合と、前記操作手段が有効に操作された後に新たな前記図柄変動が開始された場合とで異ならせる
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
例えばパチンコ機等の遊技機では、遊技者の遊技への関与意識を高めて興趣を増大させるため、発射ハンドル等とは別に例えば押しボタンその他の操作手段を設け、所定の操作有効期間中に遊技者がその操作手段を操作することに基づいて所定の操作時演出処理を実行する、操作演出の機能を搭載したものが多くなっている（例えば特許文献１）。
【０００３】
この種の遊技機では、操作演出は所定の単位演出期間に対応しており、例えば図柄変動の開始から終了までの間の一定期間が操作有効期間に設定され、その操作有効期間中に操作手段が操作されることに基づいて、その図柄変動の終了までの期間内に操作時演出処理が実行されるようになっている。
【先行技術文献】
【特許文献】
【０００４】
【特許文献１】特開２００９−１６５５３０号公報
【発明の概要】
【発明が解決しようとする課題】
【０００５】
ところで、最近の遊技機では、例えばいわゆる確変、時短等の特別遊技状態中は図柄変動時間を短くして保留消化を高速化したものが多くなっている。このような遊技機では、図柄変動時間の短縮に伴って例えば予告演出画像や効果音の出力時間が短縮されるなど、図柄変動中の演出が単純化される傾向にある。
【０００６】
しかしながら、操作演出については、操作有効期間が一定時間以上必要であり、また操作時演出処理のための時間も必要であることから、上記のような従来の短時間変動の遊技機においては操作演出の出現は制限せざるを得ず、例えばせっかくの特別遊技状態中に操作演出による優れた演出効果を十分に発揮させることができないという問題があった。
【０００７】
本発明は上記事情に鑑みてなされたものであり、短時間変動の場合でも操作有効期間と操作時演出の時間を十分に確保した操作演出を実行することが可能な遊技機を提供することを目的とする。
【課題を解決するための手段】
【０００８】
本発明は、外部操作可能な操作手段１２と、所定の操作演出を実行する操作演出制御手段７５と、所定の図柄変動開始条件が満たされることに基づいて図柄を変動表示する図柄表示手段３２と、前記図柄表示手段３２による変動後の停止図柄が特定態様となった場合に利益状態を発生させる利益状態発生手段６５とを備えた遊技機において、前記操作演出は、前記操作手段１２を有効に操作可能であることを示す画像を前記図柄表示手段３２による複数回の図柄変動に跨って表示することが可能な特定操作演出を含み、前記特定操作演出では、前記画像の表示態様を、前記操作手段１２が有効に操作されることなく新たな前記図柄変動が開始された場合と、前記操作手段１２が有効に操作された後に新たな前記図柄変動が開始された場合とで異ならせるものである。
また、外部操作可能な操作手段１２と、所定の操作有効期間中に前記操作手段１２が操作されることに基づいて所定の操作時演出処理を実行する操作演出を制御する操作演出制御手段７５とを備えた遊技機において、前記操作演出は、前記操作有効期間が複数の単位演出期間に跨ることが可能な特定操作演出を含む構成としてもよい。
【０００９】
ここで、前記特定操作演出では、前記操作時演出処理の実行期間が前記複数の単位演出期間に跨ることが可能に構成してもよい。また、前記特定操作演出において、前記操作有効期間中の前記操作手段１２の操作に基づいて前記操作時演出処理を行うか否かの抽選を行い、前記操作有効期間が前記単位演出期間を跨ぐことに基づいて前記抽選の確率が変化するように構成してもよい。
【００１０】
また、前記操作有効期間中に、前記操作手段１２の操作入力信号がＯＦＦからＯＮに変化することに基づいて前記操作時演出処理を実行するように構成してもよいし、前記操作有効期間中に、前記操作手段１２の操作入力信号がＯＮの状態が所定期間継続することに基づいて前記操作時演出処理を実行するように構成してもよい。
【００１１】
前記操作有効期間中である旨の報知処理を行う操作有効期間報知処理手段８２を備え、前記特定操作演出における前記操作有効期間中に前記操作手段１２が操作されることなく前記単位演出期間が経過することに基づいて前記報知処理の態様を変化させるように構成してもよい。
【００１２】
また、所定の図柄変動開始条件が満たされることに基づいて、図柄を変動表示する図柄表示手段３２と、前記図柄表示手段３２による変動後の停止図柄が特定態様となることに基づいて利益状態を発生させる利益状態発生手段６５とを備え、前記図柄表示手段３２による図柄の単位変動期間を前記単位演出期間としてもよい。
【発明の効果】
【００１３】
本発明によれば、短時間変動の場合でも操作有効期間と操作時演出の時間を十分に確保した操作演出を実行することが可能となる。
【図面の簡単な説明】
【００１４】
【図１】本発明の第１の実施形態におけるパチンコ機の全体正面図である。
【図２】同パチンコ機の制御系のブロック図である。
【図３】同パチンコ機の保留減算コマンド及び保留増加コマンドの一例を示す図である。
【図４】同パチンコ機の操作演出開始処理のフローチャートである。
【図５】同パチンコ機の第１操作演出抽選処理のフローチャートである。
【図６】同パチンコ機の第２操作演出抽選処理のフローチャートである。
【図７】同パチンコ機の操作有効期間報知処理のフローチャートである。
【図８】同パチンコ機の操作入力監視処理のフローチャートである。
【図９】同パチンコ機の第１操作時演出処理のフローチャートである。
【図１０】同パチンコ機の第１操作演出における画像表示手段への表示の一例を示す図である。
【図１１】同パチンコ機の第２操作演出における画像表示手段への表示の一例を示す図である。
【図１２】同パチンコ機の第１操作演出における特別図柄表示手段の変動、特別保留個数、第１操作演出中フラグの状態、演出用操作手段の有効／無効、操作入力信号のＯＮ／ＯＦＦ、及びレベルメータによる信頼度表示値の履歴の一例を示す図である。
【図１３】本発明の第２の実施形態におけるパチンコ機の操作入力監視処理のフローチャートである。
【発明を実施するための形態】
【００１５】
以下、本発明の実施形態を図面に基づいて詳述する。図１〜図１２は本発明をパチンコ機に採用した第１の実施形態を例示している。図１において、遊技機本体１は、矩形状の外枠２と、この外枠２の前側に左右一側、例えば左側のヒンジ３により開閉自在に枢着された前枠４とを備えている。前枠４の前側には、ガラス扉５と前面板６とが上下に配置され、夫々ヒンジ３と同じ側のヒンジ７により前枠４に開閉自在に枢支されている。
【００１６】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。更に、上皿８等を前側から覆う上皿カバー１１上には、例えば左右方向の略中央に押しボタン式の演出用操作手段（操作手段）１２が設けられている。なお、演出用操作手段１２内にはＬＥＤ１３が配置されており、例えば操作有効期間中に点灯されるようになっている。
【００１７】
前枠４には、ガラス扉５の後側に対応して遊技盤２１が着脱自在に装着されている。遊技盤２１の前面側には、発射手段から発射された遊技球を案内するガイドレール２２が環状に装着されると共に、そのガイドレール２２の内側の遊技領域２３に、センターケース２４、普通図柄始動手段２５、特別図柄始動手段２６、大入賞手段２７、普通入賞手段２８等の各種遊技部品が配置されている。また、センターケース２４には、液晶式等の画像表示手段２９の他、普通図柄表示手段３１、特別図柄表示手段３２、普通保留個数表示手段３３等が設けられている。
【００１８】
普通図柄表示手段３１は、普通図柄を変動表示するためのもので、例えば「○」「×」の２種類の普通図柄に対応する２個の発光体（例えばＬＥＤ）により構成されており、通過ゲート等よりなる普通図柄始動手段２５が遊技球を検出することを条件にそれら２つの発光体が所定時間交互に点滅して、普通図柄始動手段２５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１９】
また、普通図柄表示手段３１の変動表示中、又は後述する普通利益状態中に普通図柄始動手段２５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段３３がその発光個数により当たり判定乱数値の記憶個数（以下、普通保留個数という）を表示して、その時点での普通保留個数を遊技者に報知するようになっている。
【００２０】
特別図柄始動手段２６は、特別図柄表示手段３２による図柄変動を開始させるためのもので、上下２つの特別始動口２６ａ，２６ｂと、下特別始動口２６ｂを開閉する開閉手段３９とを備え、例えばセンターケース２４の下側に配置されている。上特別始動口２６ａは、開閉手段等を有しない非作動式入賞口である。下特別始動口２６ｂは、開閉手段３９により遊技球が入賞可能な開状態と入賞不可能な閉状態とに切り換え可能な作動式入賞口で、普通図柄表示手段３１の変動後の停止図柄が当たり態様となって普通利益状態が発生したときに、開閉手段３９が所定時間、所定回数だけ閉状態から開状態に変化するように構成されている。
【００２１】
特別図柄表示手段（図柄表示手段）３２は、１個又は複数個、例えば１個の特別図柄（図柄）を変動表示可能な７セグメント式等の表示手段により構成されており、特別図柄始動手段２６が遊技球を検出すること、即ち上下２つの特別始動口２６ａ，２６ｂの何れかに遊技球が入賞することを条件に（所定の図柄変動開始条件の一例）、特別図柄を所定時間変動表示して、特別始動口２６ａ，２６ｂへの入賞時に取得された大当たり判定乱数値が予め定められた大当たり判定値と一致する場合には所定の大当たり態様（特定態様）で、それ以外の場合には外れ態様で停止するようになっている。特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのようなそれ自体としては特別な意味を持たない図柄を割り当ててもよい。
【００２２】
また、特別図柄の変動表示中、又は後述する特別利益状態中に特別始動口２６ａ，２６ｂに遊技球が入賞した場合には、その入賞時に取得された大当たり判定乱数値等が夫々所定の上限保留個数、例えば各４個を限度として記憶されると共に、例えば画像表示手段２９上に大当たり判定乱数値の記憶個数（以下、特別保留個数という）を表示して、その時点での特別保留個数を遊技者に報知するようになっている。
【００２３】
大入賞手段２７は、遊技球が入賞可能な開状態と入賞不可能な閉状態とに切り換え可能な開閉板４０を備えた開閉式入賞手段で、特別図柄表示手段３２の変動後の特別図柄が大当たり態様となることに基づいて特別利益状態が発生したときに、開閉板４０が所定の開放パターンに従って前側に開放して、その上に落下した遊技球を内部へと入賞させるようになっている。
【００２４】
また、画像表示手段２９には、例えば特別図柄表示手段３２による特別図柄の変動表示と並行して演出図柄３４が変動表示される他、特別保留個数を示す保留表示画像３５、演出用操作手段１２の操作が有効な操作有効期間中であることを示す操作有効期間報知画像３６，３７、操作有効期間中に演出用操作手段１２が操作されることに基づいて実行される操作時演出処理等に係る操作演出画像３８等の各種演出画像が遊技状態に応じて表示されるようになっている。
【００２５】
ここで、演出図柄３４は、１個又は複数個、例えば左右方向に３個の数字図柄等で構成されており、特別図柄始動手段２６が遊技球を検出すること、即ち上下２つの特別始動口２６ａ，２６ｂの何れかに遊技球が入賞することを条件に特別図柄の変動開始と同時に所定の変動パターンに従って変動を開始すると共に、特別図柄の変動停止と同時に最終停止するように、左、右、中等の所定の順序で停止するようになっている。
【００２６】
また、演出図柄３４では、例えば３つの図柄が全て同じ図柄で揃ったものが大当たり態様、少なくとも１つの図柄が異なるものが外れ態様となっている。なお、本実施形態では、特別図柄が大当たり態様となる場合には演出図柄３４も大当たり態様となり、特別図柄が外れ態様となる場合には演出図柄３４も外れ態様となるものとする。
【００２７】
図２は本パチンコ機の制御系のブロック図である。図２において、４１は主制御基板、４２は演出制御基板で、これら各制御基板４１，４２は、遊技盤２１に装着されたセンターケース２４、その他の複数個の遊技部品を裏側から一括して覆う裏カバーの裏側等、前枠４及び遊技盤２１を含む遊技機本体１の裏側の適宜箇所に着脱自在に装着された基板ケースに夫々収納されている。
【００２８】
主制御基板４１は、主に遊技盤２１側の遊技動作に関わる制御を行うためのもので、ＣＰＵ，ＲＯＭ，ＲＡＭ等により構成される普通乱数作成処理手段５１、普通始動口チェック処理手段５２、普通乱数記憶手段５３、普通図柄処理手段５４、普通利益状態発生手段５５、普通図柄表示制御手段５６、特別乱数作成処理手段６１、特別始動口チェック処理手段６２、特別乱数記憶手段６３、特別図柄処理手段６４、特別利益状態発生手段６５、特別図柄表示制御手段６６、特別遊技状態発生手段６７、先読み判定手段６８、制御コマンド送信手段６９等を備えている。
【００２９】
普通乱数作成処理手段５１は、変動後の普通図柄を当たり態様とするか否かの判定に用いる当たり判定乱数等を所定時間毎に繰り返し発生するように構成されている。普通始動口チェック処理手段５２は、普通図柄始動手段２５による遊技球の検出に基づく処理を行うもので、普通図柄始動手段２５が遊技球を検出することに基づいて、普通乱数作成処理手段５１で作成された当たり判定乱数値を１個取得し、その当たり判定乱数値を予め定められた上限保留個数（例えば４個）を限度として普通乱数記憶手段５３に記憶させるように構成されている。
【００３０】
普通図柄処理手段５４は、普通図柄の変動表示に関する処理を行うもので、普通図柄表示手段３１が変動表示可能な状態となり且つ普通乱数記憶手段５３に１個以上の当たり判定乱数値が記憶されていること（普通保留個数が１以上であること）を条件に、普通乱数記憶手段５３に最も早く記憶された当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００３１】
普通利益状態発生手段５５は、普通図柄処理手段５４による判定結果が当たり判定となり、普通図柄表示手段３１の変動後の停止図柄が当たり態様となったときに、下特別始動口２６ｂの開閉手段３９を所定の開閉パターンに従って開状態に変化させるようになっている。
【００３２】
普通図柄表示制御手段５６は、普通図柄処理手段５４による普通図柄処理に基づいて普通図柄表示手段３１の表示制御を行うもので、普通図柄表示手段３１が変動表示可能な状態となり且つ普通乱数記憶手段５３に１個以上の当たり判定乱数値が記憶されていること（普通保留個数が１以上であること）を条件に普通図柄表示手段３１による普通図柄の変動を開始させ、普通図柄処理手段５４で選択された変動時間が経過することに基づいて、同じく普通図柄処理手段５４で選択された停止図柄で普通図柄の変動を停止させるようになっている。
【００３３】
特別乱数作成処理手段６１は、変動後の特別図柄を大当たり態様、外れ態様の何れにするかについての判定に用いる大当たり判定乱数の他、変動後の特別図柄が大当たり態様となる場合の停止図柄の選択に用いる大当たり図柄乱数、変動後の特別図柄が外れ態様となる場合の停止図柄の選択に用いる外れ図柄乱数、演出図柄の変動パターンの選択に用いる変動パターン乱数、その他の所定の乱数を繰り返し発生する特別乱数作成処理を行うように構成されている。
【００３４】
特別始動口チェック処理手段６２は、特別図柄始動手段２６への遊技球の入賞に基づく処理を行うもので、特別図柄始動手段２６が遊技球を検出すること、即ち特別始動口２６ａ，２６ｂに遊技球が入賞することに基づいて、特別乱数作成処理手段６１で作成された大当たり判定乱数値、大当たり図柄乱数値、変動パターン乱数値等を１個ずつ取得し、それら当たり判定乱数値、当たり図柄乱数値、変動パターン乱数値等を予め定められた上限保留個数（例えば各４個）を限度として特別乱数記憶手段６３に記憶させるように構成されている。
【００３５】
なお本実施形態では、後述する先読み判定手段６８により、リーチ変動となるか否かについて事前に判定することを可能とすべく、大当たり判定乱数値、大当たり図柄乱数値に加えて変動パターン乱数値についても特別図柄始動手段２６による遊技球検出時に取得するように構成したが、リーチ変動となるか否か等の変動パターンに関する先読み判定を行わない場合には、変動パターン乱数値は図柄変動開始時に取得するようにしてもよい。
【００３６】
特別図柄処理手段６４は、特別図柄の変動表示に関する処理を行うもので、特別図柄表示手段３２が変動表示可能な状態となり且つ特別乱数記憶手段６３に１個以上の大当たり判定乱数値が記憶されていること（特別保留個数が１以上であること）を条件に、特別乱数記憶手段６３に最も早く記憶された大当たり判定乱数値を取り出し、その大当たり判定乱数値が予め定められた大当たり判定値と一致するか否かに応じて大当たり／外れの判定を行う大当たり判定機能、大当たり／外れの判定結果と、特別乱数記憶手段６３に大当たり判定乱数値と共に記憶されている大当たり図柄乱数値又は新たに取得された外れ図柄乱数値とに基づいて、特別図柄の変動後の停止図柄を選択する特別停止図柄選択機能、大当たり／外れの判定結果と変動パターン乱数値とに基づいて演出図柄の変動パターンを選択する変動パターン選択機能等を備えている。
【００３７】
特別利益状態発生手段（利益状態発生手段）６５は、大入賞手段２７を所定の開放パターンに従って開放する特別利益状態を発生させるためのもので、特別図柄処理手段６４による判定結果が大当たり判定となり、特別図柄表示手段３２による特別図柄の変動後の停止図柄が大当たり態様（特定態様）となることに基づいて特別利益状態（利益状態）を発生させるようになっている。本実施形態の開放パターンは、大入賞手段２７の開放から所定時間（例えば２８秒）経過するか、それまでに所定個数（例えば９個）の遊技球が入賞することを条件に大入賞手段２７を閉鎖する動作を、所定ラウンド数（例えば１５ラウンド）行うように設定されているものとするが、複数種類の開放パターンを設け、例えば大当たり図柄乱数値に基づいてそれらの何れかを選択するように構成してもよい。
【００３８】
特別図柄表示制御手段６６は、特別図柄表示手段３２の表示制御を行うもので、特別図柄処理手段６４による特別図柄処理に基づいて特別図柄表示手段３２による特別図柄の変動を開始させると共に、選択された演出図柄の変動パターンに対応する変動時間が経過することに基づいて所定の停止図柄で特別図柄の変動を停止させるようになっている。
【００３９】
特別遊技状態発生手段６７は、特別利益状態発生後の所定期間に遊技者に有利な特別遊技状態を発生させるためのもので、例えば特別乱数記憶手段６３に記憶された大当たり判定乱数値が大当たり判定値と一致した場合の大当たり図柄乱数値に基づいて、その大当たり図柄乱数値が所定の確変判定値と一致しない場合には時短状態を、一致する場合には確変状態を夫々発生させるように構成されている。
【００４０】
時短状態中は、特別図柄に関して特別図柄表示手段３２の変動時間が通常変動時間よりも短い短縮変動時間に切り換えられる他、普通図柄に関して、当たり確率が通常確率（例えば１／１０）から高確率（例えば１／１．３）へ、変動時間が通常変動時間（例えば２７秒）から短縮変動時間（例えば２．７秒）へ、下特別始動口２６ｂの開閉手段３９の開閉パターンが通常開閉パターン（例えば０．２秒×１回開放）から特別開閉パターン（例えば２秒×３回開放）へ、夫々切り換えられるようになっている。なお、時短状態は例えばその開始後に特別図柄が所定回数（例えば５０回）変動するか、それまでに次の特別利益状態が発生した時点で終了する。
【００４１】
確変状態中は、それ以外の通常確率状態中よりも大当たり判定値の数が例えば１個から１０個へ増加されることにより、特別図柄が大当たり態様となる確率が通常確率（例えば１／３５０）よりも高い高確率（例えば１／３５）に切り換えられると共に、例えば時短状態と同様の処理も併せて行われるようになっている。なお、確変状態は例えば次の特別利益状態が発生した時点で終了するが、次の特別利益状態が発生するまでに特別図柄が所定回数（例えば７０回）変動した時点で終了するようにしてもよい。
【００４２】
先読み判定手段６８は、特別図柄始動手段２６が遊技球を検出したときに取得される大当たり判定乱数値等の内容を、特別図柄処理手段６４による判定よりも前の所定時点、例えばそれらの乱数値を取得した時点で事前に判定するもので、例えばその大当たり判定乱数値が大当たり判定値と一致するか否か、及び変動パターン乱数値がリーチ変動パターンに対応するものであるか否かに応じて、リーチ状態を経ることなく外れ態様となる「リーチなし外れ保留記憶」、リーチ状態を経て外れ態様となる「リーチ外れ保留記憶」、大当たり態様となる「大当たり保留記憶」の何れであるかを判定するようになっている。
【００４３】
制御コマンド送信手段６９は、所定の制御コマンドを一方向通信により演出制御基板４２等のサブ制御基板側に送信して制御指令を与えるためのもので、特別図柄処理手段６４による特別図柄処理に基づいて、特別図柄の変動開始時に、特別保留個数の減少を指定する保留減少コマンド、演出図柄の変動パターンを指定する変動パターン指定コマンド、演出図柄の変動後の停止図柄の抽選を指示する停止図柄コマンドをこの順序で演出制御基板４２側に送信し、特別図柄の変動終了時に演出図柄の変動停止を指示する変動停止コマンドを演出制御基板４２側に送信する機能、特別図柄始動手段２６による遊技球検出時に特別保留個数の増加を指定する保留増加コマンドを演出制御基板４２側に送信する機能、遊技状態が変化する際に遊技状態コマンドを演出制御基板４２側に送信する機能等を備えている。
【００４４】
ここで、保留減算コマンドは、図３に示すように、例えば減算後の特別保留個数（ここでは０〜３個）に応じて複数種類（ここでは４種類）設けられている。また、保留増加コマンドは、図３に示すように、例えば増加後の特別保留個数（ここでは１〜４個）に応じた複数種類（ここでは４種類）のコマンドが、先読み判定手段６８によるリーチなし外れ保留記憶、リーチ外れ保留記憶、大当たり保留記憶の３種類の判定結果に応じて３組設けられている。
【００４５】
演出制御基板４２は、画像表示手段２９、音声出力手段７１、ランプ手段７２等の各種演出手段を制御するためのもので、図柄変動演出制御手段７３、特別保留個数表示制御手段７４、操作演出制御手段７５等を備えている。
【００４６】
図柄変動演出制御手段７３は、演出図柄３４の変動表示制御及びそれに伴う音声出力手段７１、ランプ手段７２等の制御を行うもので、主制御基板４１から変動パターン指定コマンドを受信し、その後所定時間内に停止図柄コマンドを受信することを条件に、演出図柄３４の変動後の停止図柄を抽選により決定すると共に変動パターン指定コマンドで指定された変動パターンに基づいて画像表示手段２９上で所定の演出画像と共に演出図柄３４の変動を開始させ、変動停止指定コマンドを受信したときに、抽選により決定された停止図柄で演出図柄３４の変動を停止させ、またその演出図柄３４の変動表示に合わせて音声出力手段７１から所定の効果音を出力し、ランプ手段７２を所定のパターンで発光させるようになっている。
【００４７】
特別保留個数表示制御手段７４は、画像表示手段２９への特別保留個数の表示制御を行うもので、特別図柄始動手段２６により新たに遊技球が検出され、主制御基板４１から保留増加コマンドを受信したときに、画像表示手段２９上の保留表示画像３５の表示個数がその保留増加コマンドで指定された増加後の特別保留個数となるように、保留表示画像３５をその待ち行列の最後尾に１個追加的に表示し、また特別図柄の変動開始時に主制御基板４１から保留減少コマンドを受信したときに、画像表示手段２９上の保留表示画像３５の表示個数がその保留減算コマンドで指定された減算後の特別保留個数となるように、待ち行列の先頭の保留記憶に対応する保留表示画像３５を消去すると共に第２番目以降の保留記憶に対応する保留表示画像３５を待ち行列の前側に向けてシフトさせるようになっている。
【００４８】
操作演出制御手段７５は、演出用操作手段１２の操作を伴う操作演出を制御するもので、操作演出開始処理手段８１、操作有効期間報知処理手段８２、操作入力監視処理手段８３等を備えている。
【００４９】
操作演出開始処理手段８１は、操作演出の開始制御を行うもので、図４に示すような操作演出開始処理を、例えば微少時間間隔（例えば４ｍｓｅｃ毎）で行われる定期割り込み毎に実行するようになっている。ここで、操作演出は、所定の操作有効期間中に演出用操作手段１２が操作されることに基づいて所定の操作時演出処理を実行するもので、本実施形態では、第１操作演出と第２操作演出の２種類の操作演出が設けられているものとする。
【００５０】
第１操作演出（特定操作演出）は、特別図柄表示手段３２による１回の図柄変動（単位変動期間）を単位演出期間として複数の単位演出期間に跨って実行される操作演出で、先読み判定手段６８による先読み判定に係る図柄変動までの複数回の特別図柄変動に跨って操作有効期間（以下、第１操作有効期間）が設定され、またその先読み判定結果と第１操作有効期間中の演出用操作手段１２の操作状況とに応じた第１操作時演出処理が実行されるようになっている。
【００５１】
また、第２操作演出は、特別図柄の１回の図柄変動中に完結する操作演出で、その１回の特別図柄変動中の所定期間に設定される操作有効期間（以下、第２操作有効期間）中に演出用操作手段１２が操作されることに基づいて、例えばその特別図柄の変動後の停止図柄が大当たり態様となるか否か等に応じた第２操作時演出処理が実行されるようになっている。
【００５２】
操作演出開始処理手段８１による操作演出開始処理（図４）では、まず保留増加コマンドと変動パターン指定コマンドの何れかを受信したか否かが判定される（Ｓ１，Ｓ６）。保留増加コマンドと変動パターン指定コマンドとの何れも受信していない場合にはここで操作演出開始処理は終了する。
【００５３】
保留増加コマンドを受信したと判定された場合には（Ｓ１：Ｙｅｓ）、第１操作演出抽選処理（Ｓ２）が実行される。この第１操作演出抽選処理では、例えば図５に示すように、第１操作演出中フラグがＯＮでなく（Ｓ１１：Ｎｏ）、第２操作演出中フラグがＯＮでなく（Ｓ１２：Ｎｏ）、特別保留個数が所定個数（ここでは２個）以上であり（Ｓ１３：Ｙｅｓ）、当該先読み判定に係る保留記憶が大当たり保留記憶又はリーチ外れ保留記憶の何れかであり（Ｓ１４：Ｙｅｓ）、当該先読み判定に係る保留記憶を除く全ての保留記憶の中に大当たり保留記憶が存在せず（Ｓ１５：Ｎｏ）、当該先読み判定に係る保留記憶を除く全ての保留記憶の中にリーチ外れ保留記憶が存在しない（Ｓ１６：Ｎｏ）ことを条件に、第１操作演出を実行するか否かに関する抽選が行われる（Ｓ１７）ようになっている。
もちろん、これらＳ１１〜Ｓ１６の条件は一例であって、それらの一部のみを条件としてもよいし、その他の条件を付加してもよい。また、先読み判定に係る保留記憶が当りの場合とはずれの場合とで第１操作演出を実行するか否かの抽選確率を異ならせてもよいし、同じ確率としてもよい。また、遊技状態によって抽選確率を異ならせてもよいし、同じ確率としてもよい。本件においては、短縮変動時において特に効果を発揮するため、時短状態や確変状態などの特別遊技状態中は、通常遊技状態中と比較して第１操作演出の抽選確率が高くなる（出現率が高くなる）ように構成することが望ましい。
【００５４】
ここで、第１操作演出中フラグは、第１操作演出中であるか否かを示すもので、第１操作演出中にＯＮに設定されるようになっている。また、第２操作演出中フラグは、第２操作演出中であるか否かを示すもので、第２操作演出中にＯＮに設定されるようになっている。
【００５５】
そして、第１操作演出を実行するか否かに関する抽選（Ｓ１７）に当選した場合には（Ｓ３：Ｙｅｓ）、第１操作演出中フラグがＯＮに設定される（Ｓ４）と共に、第１操作演出に関する設定処理が行われ（Ｓ５ａ〜Ｓ５ｄ））、例えば次の特別図柄変動から当該先読み判定に係る保留記憶に対応する特別図柄変動までの複数回の変動にわたる第１操作演出が実行される。なお、初期設定処理では、例えば第１操作有効期間報知画像３６の大きさが小に設定され（Ｓ５ａ）、第１操作時演出の抽選確率に初期値（例えば１／１０）がセットされ（Ｓ５ｂ）、信頼度表示値に初期値（例えば０％）がセットされ（Ｓ５ｃ）、また信頼度上限値が設定される（Ｓ５ｄ）ようになっている。
【００５６】
ここで、第１操作有効期間報知画像３６は、第１操作有効期間中であることを報知するための画像で、例えば図１０に例示するような演出用操作手段１２の連続操作を促す内容のアニメーション画像により構成されており、本実施形態では、その大きさが小、中、大の３種類（それぞれ図１０（ａ），（ｂ），（ｃ））設けられているものとする。また、本実施形態の第１操作演出は、第１操作演出の最終の特別図柄変動で大当たりとなる信頼度を演出用操作手段１２の操作状況に応じてレベルメータで表示するもので、第１操作有効期間中に演出用操作手段１２が操作される毎に、所定の抽選確率（Ｓ５ｂ）で、第１操作時演出を実行するか否かを抽選し、その抽選に当選することを条件に、所定の信頼度上限値（Ｓ５ｄ）を超えない範囲で、レベルメータ表示を所定の信頼度表示値（Ｓ５ｃ）まで上昇させるように構成されている。
【００５７】
また、変動パターン指定コマンドを受信したと判定された場合には（Ｓ６：Ｙｅｓ）、第２操作演出抽選処理（Ｓ７）が実行される。なお、ここでは変動パターン指定コマンドとしたが、特別図柄変動の開始時に送信されるコマンドであればよく、例えば保留減算コマンドの受信を契機として第２操作演出抽選処理（Ｓ７）を実行するように構成してもよい。この第２操作演出抽選処理では、例えば図６に示すように、第１操作演出中フラグがＯＮでないこと（Ｓ２１：Ｎｏ）、即ち第１操作演出中でないことを条件に、第２操作演出を実行するか否かに関する抽選が行われる（Ｓ２２）ようになっている。
【００５８】
なお、第１操作演出中であっても第２操作演出を実行するか否かに関する抽選を行なうようにしてもよい。この場合、第１操作演出と第２操作演出とが重複して実行される場合には、演出用操作手段１２の操作に応じて第１操作演出を優先して行なうようにしてもよいし、第１操作演出と第２操作演出とを同時に実行するようにしてもよい。勿論、第２操作演出を優先して行なうようにしてもよい。
【００５９】
そして、第２操作演出を実行するか否かに関する抽選（Ｓ２２）に当選した場合には（Ｓ８：Ｙｅｓ）、第２操作演出中フラグがＯＮに設定される（Ｓ９）と共に、第２操作演出に関する設定処理、例えばその直後に開始される特別図柄変動で大当たりとなる信頼度（信頼度確定値）の設定が行われ（Ｓ１０）、その特別図柄変動において第２操作演出が実行される。なお、本実施形態の第２操作演出は、第２操作有効期間中に演出用操作手段１２が操作されることに基づいて、所定の演出画像により信頼度確定値を表示するように構成されている。
【００６０】
操作有効期間報知処理手段８２は、第１操作有効期間中又は第２操作有効期間中であることを報知するもので、図７に示すような操作有効期間報知処理を、例えば定期割り込み毎に実行するようになっている。操作有効期間報知処理（図７）では、第１，第２操作演出中フラグの何れかがＯＮであるか否かが判定される（Ｓ３１，Ｓ３７）。第１，第２操作演出中フラグの何れもＯＮでない場合には（Ｓ３１：Ｎｏ→Ｓ３７：Ｎｏ）、ここで操作有効期間報知処理は終了する。
【００６１】
第１操作演出中フラグがＯＮであると判定された場合には（Ｓ３１：Ｙｅｓ）、第１操作有効期間中であるか否かが判定され（Ｓ３２）、第１操作有効期間中でなければ（Ｓ３２：Ｎｏ）、ここで操作有効期間報知処理は終了する。本実施形態では、第１操作有効期間中フラグがＯＮになった後の最初の特別図柄変動の開始からその第１操作演出の最終の特別図柄変動中の所定時点（例えばリーチ発生時点）までの期間が第１操作有効期間に設定され、またこの第１操作有効期間中に演出用操作手段１２が操作されても第１操作有効期間は継続されるものとする。
【００６２】
第１操作有効期間中であると判定された場合には（Ｓ３２：Ｙｅｓ）、その時点で設定されている大きさ（ここでは小、中、大の何れか）の第１操作有効期間報知画像３６が画像表示手段２９に表示されるが（Ｓ３６）、このとき、当該第１操作演出における２回目以降の特別図柄変動が開始された場合であって（Ｓ３３：Ｙｅｓ）、前回の特別図柄変動中に演出用操作手段１２が操作されなかった場合には（Ｓ３４：Ｎｏ）、第１操作有効期間報知画像３６ａの大きさの設定が一段階アップされる（Ｓ３５）ようになっている。
【００６３】
従って、第１操作演出の最初の特別図柄変動中は小サイズの第１操作有効期間報知画像３６ａが表示され（図１０（ａ））、その最初の特別図柄変動中に演出用操作手段１２が操作された場合には次の特別図柄変動中も同じ小サイズの第１操作有効期間報知画像３６ａが表示されるが、最初の特別図柄変動中に演出用操作手段１２が操作されなかった場合には、次の特別図柄変動中は中サイズの第１操作有効期間報知画像３６ｂが表示され（図１０（ｂ））、またその特別図柄変動中も演出用操作手段１２が操作されなかった場合には、その次の特別図柄変動中は大サイズの第１操作有効期間報知画像３６ｃが表示される（図１０（ｃ））。
【００６４】
なお、本実施形態では、第１操作有効期間報知画像３６の表示開始と共に、例えば第１０に例示するように、第１操作演出に係る操作演出画像３８としてのレベルメータの初期画像が表示される。
【００６５】
一方、第２操作演出中フラグがＯＮであると判定された場合には（Ｓ３７：Ｙｅｓ）、第２操作有効期間中であるか否かが判定され（Ｓ３８）、第２操作有効期間中でなければ（Ｓ３８：Ｎｏ）、ここで操作有効期間報知処理は終了する。本実施形態では、第２操作演出に係る特別図柄変動毎に、例えばその変動パターンに応じて所定期間に設定される。第２操作有効期間中であると判定された場合には（Ｓ３８：Ｙｅｓ）、第２操作有効期間報知画像３７が画像表示手段２９に表示され（Ｓ３９）、操作有効期間報知処理は終了する。
【００６６】
第２操作有効期間報知画像３７は、第２操作有効期間中であることを報知するための画像で、例えば図１１（ａ）に例示するような演出用操作手段１２の操作を促す内容のアニメーション画像により構成されている。また本実施形態では、第２操作有効期間報知画像３７の表示開始と共に、図１１（ａ）に示すように第２操作演出に係る操作演出画像３８として、回転する的とそれに狙いを定めた弓矢の画像が表示される。
【００６７】
なお、画像表示手段２９への第１，第２有効期間報知画像３６，３７の表示と合わせて、他の報知手段による報知、例えば演出用操作手段１２のＬＥＤ１３の発光、音声による報知等を行うことで、より確実に遊技者を演出用操作手段１２の操作へと誘導することができる。もちろん、画像表示手段２９への画像表示以外の報知のみを行うようにしてもよい。
【００６８】
操作入力監視処理手段８３は、操作時演出処理の開始制御を行うもので、図８に示すような操作入力監視処理を、例えば定期割り込み毎に実行するようになっている。操作入力監視処理（図８）では、まず演出用操作手段１２が操作されたか否か、即ち例えば演出用操作手段１２の操作入力信号の立ち上がり（ＯＦＦ→ＯＮ）を検出したか否かが判定され（Ｓ４１）、操作入力信号の立ち上がりを検出したと判定された場合には（Ｓ４１：Ｙｅｓ）、何れかの操作有効期間中であるか否かが判定される（Ｓ４２，Ｓ４４）。そして、演出用操作手段１２の操作入力信号の立ち上がりを検出していないか（Ｓ４１：Ｎｏ）、検出した場合であってもそれが第１操作有効期間中、第２操作有効期間中の何れでもない場合には（Ｓ４２：Ｎｏ→Ｓ４４：Ｎｏ）、ここで操作入力監視処理は終了する。
【００６９】
演出用操作手段１２の操作入力信号の立ち上がり（ＯＦＦ→ＯＮ）を検出し且つそれが第１操作有効期間中であると判定された場合には（Ｓ４２：Ｙｅｓ）、第１操作時演出処理（Ｓ４３）が実行され、操作入力監視処理は終了する。以上のように、本実施形態では、第１操作有効期間中に、演出用操作手段１２の操作入力信号がＯＦＦからＯＮに変化することに基づいて第１操作時演出処理（Ｓ４３）を実行するように構成されている。
【００７０】
第１操作時演出処理（Ｓ４３）では、例えば図９に示すように、第１操作時演出を行うか否かの抽選が行われるが（Ｓ５３）、このときの抽選確率は、当該第１操作演出の最初の特別図柄変動中は、例えば図４のＳ５ｂで設定された所定の初期値（例えば１／１０）が用いられ、その後、新たな特別図柄変動が開始される毎に（Ｓ５１：Ｙｅｓ）、例えば（１／８）→（１／５）→（１／２）のように徐々に上昇する（Ｓ５２）ようになっている。
【００７１】
そして、Ｓ５３の抽選に当選しなかった場合（Ｓ５４：Ｎｏ）、及び当選した場合であってもその時点の信頼度表示値（レベルメータが示す信頼度の値）が既に信頼度上限値に達している場合には（Ｓ５５：Ｙｅｓ）、そのまま第１操作時演出処理を終了する。従ってこの場合には、操作演出画像３８としてのレベルメータの表示は変化しない。なお、信頼度表示値が信頼度上限値に達した後は、Ｓ５３の抽選、或いは第１操作演出抽選処理（Ｓ２）を実行しないようにしてもよい。
【００７２】
なお、信頼度が所定値を示している状態で、演出用操作手段の操作が所定期間行なわれない場合、所定値を維持するようにしてもよいし、所定値から減少するように構成してもよい。所定値から減少する場合は、単位演出期間の開始時又は終了時に特定される信頼度表示値まで減少するようにしてもよいし、初期値まで減少可能に構成してもよい。このように構成することで遊技者の操作意欲を高めることができる。
【００７３】
一方、Ｓ５３の抽選に当選し（Ｓ５４：Ｙｅｓ）、且つその時点の信頼度表示値が未だ信頼度上限値に達していない場合には（Ｓ５５：Ｎｏ）、その時点の信頼度表示値に、所定の信頼度加算値が加算され（Ｓ５６）、図１０（ｄ）に示すように操作演出画像３８としてのレベルメータの表示をその加算後の信頼度表示値まで上昇させる演出処理が実行され（Ｓ５９）、第１操作時演出処理は終了する。このとき、例えば加算後の信頼度表示値が信頼度上限値を超える場合には（Ｓ５７：Ｙｅｓ）、信頼度表示値はその信頼度上限値に更新される（Ｓ５８）。従って、操作演出画像３８としてのレベルメータの表示が、図４のＳ５ｄで設定された信頼度上限値を超えることはない。
【００７４】
図１２は、第１操作演出の具体例を示したものである。図１２の例では、特別図柄の変動中に特別図柄始動手段２６に遊技球が入賞し、特別保留個数が２個から３個に増加した時点（Ｔ１）で第１操作演出に当選し（Ｓ３：Ｙｅｓ）、例えばそのときの３個目の保留記憶に対応する３回目の特別図柄変動が終了するまで（Ｔ９）第１操作演出が発生し、その期間中、第１操作演出中フラグがＯＮに設定されている。
【００７５】
図１２の例では、第１操作演出の開始時（Ｔ１）に、第１操作時演出の抽選確率に初期値として例えば１／１０が、信頼度表示値の初期値として例えば０％が、信頼度上限値として４５％が夫々設定されたものとする。また図１２の例では、第１操作演出中フラグがＯＮになった後、次の新たな特別図柄変動が開始される時点（Ｔ２）で第１操作有効期間が開始され、その第１操作演出の最終の特別図柄変動中の所定時点（Ｔ８）、例えばリーチ成立時までその第１操作有効期間が継続されるようになっている。
【００７６】
その第１操作有効期間中（Ｔ２〜Ｔ８）は、第１操作有効期間報知画像３６（図１０）が画像表示手段２９に表示されると共に演出用操作手段１２の操作が有効となり、演出用操作手段１２が操作される毎に第１操作時演出を行うか否かの抽選が行われ（Ｓ５３）、その抽選に当選する毎に（Ｔ３〜Ｔ７）、操作演出画像３８としてのレベルメータの示す値（信頼度表示値）が、所定の信頼度加算値（ここでは１０％）ずつ上昇する。また、第２操作時演出を行うか否かの抽選確率は、新たな特別図柄変動が開始される毎に上昇するため（Ｓ５１，Ｓ５２）、図１２の例では第１操作有効期間が進行するほどレベルメータの上昇頻度が増加している。
【００７７】
但し、加算後の信頼度表示値が信頼度上限値（ここでは４５％）を超える場合には、信頼度表示値はその信頼度上限値に更新され、レベルメータは信頼度上限値である４５％までしか上昇しない（Ｔ７）。そして、レベルメータが信頼度上限値である４５％に達した後は、演出用操作手段１２が操作され、第１操作時演出の抽選（Ｓ５３）に当選してもレベルメータの値（信頼度表示値）は変化しない。
【００７８】
なお、操作演出画像３８としてのレベルメータの表示は、例えば第１操作有効期間が開始された時点（Ｔ２）で第１操作有効期間報知画像３６と共に画像表示手段２９への表示が開始され、例えば第１操作演出中フラグがＯＦＦになった時点、即ち第１操作演出の最終の特別図柄変動が終了した時点（Ｔ９）で画像表示手段２９から消去されるようになっている。
【００７９】
一方、図８に示す操作入力監視処理において、演出用操作手段１２の操作入力信号の立ち上がりを検出し且つそれが第２操作有効期間中であると判定された場合には（Ｓ４２：Ｎｏ→Ｓ４４：Ｙｅｓ）、その時点で第２操作有効期間が終了し（Ｓ４５）、画像表示手段２９への第２操作有効期間報知画像３７の表示が終了すると共に、第２操作時演出処理（Ｓ４６）が実行され、操作入力監視処理は終了する。第２操作時演出処理（Ｓ４６）では、第２操作演出に係る操作演出画像３８が、例えば図１１（ｂ）に示すように、矢が射られて回転する的に命中し、その後に的が停止してその命中した箇所（ここでは信頼度確定値）が視認可能となるように変化するようになっている。
【００８０】
以上説明したように、本実施形態のパチンコ機では、第１操作演出（特定操作演出）を、操作有効期間、及び操作時演出処理の実行期間が複数の特別図柄変動（単位演出期間）に跨ることが可能な構成としたことにより、短時間変動の場合でも操作有効期間と操作時演出処理の時間を十分に確保することができ、操作演出による優れた演出効果を十分に発揮させることが可能である。
【００８１】
また、第１操作演出における第１操作有効期間が特別図柄変動（単位演出期間）を跨ぐ毎に、操作時演出処理を行うか否かの抽選確率を高くするように構成しているため、遊技者の期待感を徐々に高める効果的な演出が可能となる。
【００８２】
また、第１操作演出における第１操作有効期間中に演出用操作手段１２が操作されることなく単位演出期間が経過することに基づいて操作有効期間報知画像３６を大きくするように構成しているため、遊技者に対して効果的に操作入力を促すことができる。
【００８３】
図１３は本発明の第２の実施形態を例示し、第１操作有効期間中に演出用操作手段１２の操作入力信号がＯＮの状態が所定期間継続することに基づいて第１操作時演出処理を実行するように構成した例を示している。
【００８４】
本実施形態の操作入力監視処理手段８３による操作入力監視処理は、図１３に示すように構成されている。なお、この操作入力監視処理以外は、第１の実施形態と同様に構成されているものとする。
【００８５】
図１３に示す操作入力監視処理では、まず何れかの操作有効期間中であるか否かが判定され（Ｓ６１，Ｓ６９）、第１操作有効期間中、第２操作有効期間中の何れでもない場合には（Ｓ６１：Ｎｏ→Ｓ６９：Ｎｏ）、ここで操作入力監視処理は終了する。
【００８６】
第２操作有効期間中であると判定された場合には（Ｓ６１：Ｎｏ→Ｓ６９：Ｙｅｓ）、演出用操作手段１２の操作入力信号の立ち上がり（ＯＦＦ→ＯＮ）を検出したことを条件に、その時点で第２操作有効期間が終了し（Ｓ７１）、画像表示手段２９への第２操作有効期間報知画像３７の表示が終了すると共に、第２操作時演出処理（Ｓ７２）が実行され、操作入力監視処理は終了する。このように、本実施形態の操作入力監視処理では、第２操作有効期間中の処理については、第１の実施形態の操作入力監視処理（図８）と同様、演出用操作手段１２の操作入力信号がＯＦＦからＯＮに変化することに基づいて第２操作時演出処理を実行するように構成されている。
【００８７】
一方、第１操作有効期間中であると判定された場合には（Ｓ６１：Ｙｅｓ）、演出用操作手段１２の操作入力信号の状態が判定され（Ｓ６２，Ｓ６４）、例えば演出用操作手段１２の操作入力信号がＯＦＦ→ＯＮに変化したと判定された場合には（Ｓ６２：Ｙｅｓ）、タイマ値が例えば０に初期化される（Ｓ６３）。また、例えば演出用操作手段１２の操作入力信号がＯＮのまま変化しなかったと判定された場合には（Ｓ６４：Ｙｅｓ）、タイマ値に例えば１が加算され（Ｓ６５）、その加算後のタイマ値が所定値に達したと判定された場合（Ｓ６６：Ｙｅｓ）、即ち演出用操作手段１２が操作された状態が所定時間継続したと判定された場合には、タイマ値が初期化される（Ｓ６７）と共に、第１操作時演出処理（Ｓ６８）が実行される。この第１操作時演出処理は、例えば第１の実施形態と同様（図９）である。
【００８８】
以上、本発明の実施形態について詳述したが、本発明はこれらの実施形態に限定されるものではなく、本発明の趣旨を逸脱しない範囲で種々の変更が可能である。例えば、実施形態では、特別図柄表示手段３２による１回の図柄変動（単位変動期間）を単位演出期間とし、第１操作演出（特定操作演出）の操作有効期間が複数の単位演出期間に跨るように構成した例を示したが、例えば特別利益状態中における１回のラウンド、普通図柄表示手段３１による１回の図柄変動等を単位演出期間としてもよい。また、１回の図柄変動中に図柄の変動開始と仮停止とを複数回行なう擬似変動における１回の擬似変動を単位演出期間としてもよい。
【００８９】
実施形態では、第１操作演出の抽選（Ｓ２）に当選した場合（Ｓ３：Ｙｅｓ）、その次の特別図柄変動の開始後に第１操作有効期間を開始するように構成したが、次の特別図柄変動が開始されるよりも前に第１操作有効期間を開始するように構成してもよい。
【００９０】
第１操作有効期間中に演出用操作手段１２が操作された場合、実施形態ではそのまま操作有効期間を継続し、その操作有効期間中の複数回の操作、或いは所定時間の継続操作に基づいて第１操作時演出処理を行うように構成したが、操作有効期間中に演出用操作手段１２の操作について所定条件が満たされた場合（所定回数の操作、所定時間の継続操作等）にはその時点で操作有効期間を終了するように構成してもよい。この場合、その操作に基づいて実行される操作時演出処理は、当初の操作有効期間の満了に係る単位演出期間まで継続するように構成してもよいし、例えば操作時演出処理が終了した後に操作有効期間を再開するように構成してもよい。
【００９１】
実施形態では、第１操作演出（特定操作演出）において、操作有効期間が前記単位演出期間を跨ぐ毎に、操作時演出処理を行うか否かの抽選の確率を高くするように構成したが、例えば操作有効期間が単位演出期間を跨ぐ毎に抽選確率を変化させるか否かの抽選を行うなど、操作有効期間が単位演出期間を跨いでも抽選確率が変化しない場合があってもよい。また、操作有効期間が単位演出期間を跨ぐことによって抽選確率が低くなる場合があってもよい。
【００９２】
第１操作有効期間中に演出用操作手段１２が操作されなかった場合、実施形態では、単位演出期間が経過する毎に操作有効期間報知画像の大きさを大きくするように構成したが、これは、操作有効期間中であることを遊技者により強く主張するための報知態様の変化の一例であって、例えば表示色の変更（青→黄→赤等）、報知手段の種類の増加（画像表示→画像表示＋ランプ→画像表示＋ランプ＋音声等）等を行うようにしてもよい。
【００９３】
なお、操作有効期間報知画像については、他の演出表示と重複する場合には一時的に消去したり、他の演出表示と重ならないように表示場所や表示の大きさ等を変更するようにしてもよい。
【００９４】
実施形態では、特定操作演出を、先読み判定手段６８による先読み判定に基づく演出としたが、先読み判定に基づく演出以外の演出を特定操作演出としてもよい。
【００９５】
操作手段は、押しボタン式に限られるものではなく、タッチ式、レバー式、スライド式等、どのような操作手段でもよい。
【００９６】
また本発明は、アレンジボール機、雀球遊技機等の各種弾球遊技機の他、スロットマシン等の弾球遊技機以外の遊技機においても同様に実施することが可能である。
【符号の説明】
【００９７】
１２  演出用操作手段（操作手段）
３２  特別図柄表示手段（図柄表示手段）
６５  特別利益状態発生手段（利益状態発生手段）
７５  操作演出制御手段
８２  操作有効期間報知処理手段
【図１】
2015131148.tif 000003
【図２】
2015131148.tif 000004
【図３】
2015131148.tif 000005
【図４】
2015131148.tif 000006
【図５】
2015131148.tif 000007
【図６】
2015131148.tif 000008
【図７】
2015131148.tif 000009
【図８】
2015131148.tif 000010
【図９】
2015131148.tif 000011
【図１０】
2015131148.tif 000012
【図１１】
2015131148.tif 000013
【図１２】
2015131148.tif 000014
【図１３】
2015131148.tif 000015
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
外部操作可能な操作手段と、
所定の操作演出を実行可能な操作演出制御手段と、
始動条件が成立した後に図柄変動開始条件が成立したことに基づいて図柄を変動表示可能な図柄表示手段と、
前記図柄表示手段による変動後の停止図柄が特定態様となった場合に利益状態を発生可能な利益状態発生手段と
を備えた遊技機において、
前記操作演出は、
前記始動条件が成立したことに基づいて実行され且つ前記操作手段の操作有効期間が前記図柄表示手段による複数回の図柄変動に跨って設定される第１操作演出と、
前記図柄変動開始条件が成立したことに基づいて実行され且つ前記操作手段の操作有効期間が前記図柄表示手段による１回の図柄変動期間のうちの所定期間に設定される第２操作演出とを含む
ことを特徴とする遊技機。
【請求項２】
前記第１操作演出と前記第２操作演出とを重複して実行可能である
ことを特徴とする請求項１に記載の遊技機。
【手続補正２】
【補正対象書類名】明細書
【補正対象項目名】０００８
【補正方法】変更
【補正の内容】
【０００８】
本発明は、外部操作可能な操作手段１２と、所定の操作演出を実行可能な操作演出制御手段７５と、始動条件が成立した後に図柄変動開始条件が成立したことに基づいて図柄を変動表示可能な図柄表示手段３２と、前記図柄表示手段３２による変動後の停止図柄が特定態様となった場合に利益状態を発生可能な利益状態発生手段６５とを備えた遊技機において、前記操作演出は、前記始動条件が成立したことに基づいて実行され且つ前記操作手段１２の操作有効期間が前記図柄表示手段３２による複数回の図柄変動に跨って設定される第１操作演出と、前記図柄変動開始条件が成立したことに基づいて実行され且つ前記操作手段１２の操作有効期間が前記図柄表示手段３２による１回の図柄変動期間のうちの所定期間に設定される第２操作演出とを含むものである。
また、前記第１操作演出と前記第２操作演出とを重複して実行可能としてもよい。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００２１
【補正方法】変更
【補正の内容】
【００２１】
特別図柄表示手段（図柄表示手段）３２は、１個又は複数個、例えば１個の特別図柄（図柄）を変動表示可能な７セグメント式等の表示手段により構成されており、特別図柄始動手段２６が遊技球を検出すること、即ち上下２つの特別始動口２６ａ，２６ｂの何れかに遊技球が入賞することを条件に、特別図柄を所定時間変動表示して、特別始動口２６ａ，２６ｂへの入賞時に取得された大当たり判定乱数値が予め定められた大当たり判定値と一致する場合には所定の大当たり態様（特定態様）で、それ以外の場合には外れ態様で停止するようになっている。特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのようなそれ自体としては特別な意味を持たない図柄を割り当ててもよい。
【手続補正８】
【補正対象書類名】明細書
【補正対象項目名】００３４
【補正方法】変更
【補正の内容】
【００３４】
特別始動口チェック処理手段６２は、特別図柄始動手段２６への遊技球の入賞に基づく処理を行うもので、特別図柄始動手段２６が遊技球を検出すること、即ち特別始動口２６ａ，２６ｂに遊技球が入賞することに基づいて（始動条件の成立の一例）、特別乱数作成処理手段６１で作成された大当たり判定乱数値、大当たり図柄乱数値、変動パターン乱数値等を１個ずつ取得し、それら当たり判定乱数値、当たり図柄乱数値、変動パターン乱数値等を予め定められた上限保留個数（例えば各４個）を限度として特別乱数記憶手段６３に記憶させるように構成されている。
【手続補正９】
【補正対象書類名】明細書
【補正対象項目名】００３６
【補正方法】変更
【補正の内容】
【００３６】
特別図柄処理手段６４は、特別図柄の変動表示に関する処理を行うもので、特別図柄表示手段３２が変動表示可能な状態となり且つ特別乱数記憶手段６３に１個以上の大当たり判定乱数値が記憶されていること（特別保留個数が１以上であること）を条件に（図柄変動開始条件の成立の一例）、特別乱数記憶手段６３に最も早く記憶された大当たり判定乱数値を取り出し、その大当たり判定乱数値が予め定められた大当たり判定値と一致するか否かに応じて大当たり／外れの判定を行う大当たり判定機能、大当たり／外れの判定結果と、特別乱数記憶手段６３に大当たり判定乱数値と共に記憶されている大当たり図柄乱数値又は新たに取得された外れ図柄乱数値とに基づいて、特別図柄の変動後の停止図柄を選択する特別停止図柄選択機能、大当たり／外れの判定結果と変動パターン乱数値とに基づいて演出図柄の変動パターンを選択する変動パターン選択機能等を備えている。